(57)【要約】  入退室した個人とその際制御する照明装置との対応関係の不整合を抑制する入退室管理装置を提供する。このため、入退室管理装置において、入退室する個人を識別する個人識別情報が入力される入力手段と、個人識別情報に、各個人の作業領域を照らす照明器具と、照明器具の照明状態と、各個人の入退室状態とを対応付けて記憶する記憶手段と、入力された個人識別情報の個人の入室及び退室の別を判断し、記憶手段の入退室状態を更新する入退室管理手段と、個人が照明状態を変更するための照明操作手段と、記憶手段の情報に基づいて入退室した個人の個人識別情報に対応する照明器具の照明状態を変更する照明制御手段と、を設け、照明状態が変更されると記憶手段に記憶された照明状態を更新し、記憶手段に記憶された照明器具の照明状態と個人の入退室状態との対応関係に基づいて記憶手段が記憶する個人識別情報に対応する照明器具を更新する。
2012127609.tif 000002
【特許請求の範囲】
【請求項１】
入退室する複数の個人の各々を一意に識別する個人識別情報の入力を受け付ける入力手段と、
個人識別情報に、室内を照らす複数の照明器具のうち室内における各個人の作業領域を照らす少なくとも１つの照明器具と、照明器具の照明状態と、各個人の入退室状態とを対応付けて記憶する記憶手段と、
前記入力手段により入力が受け付けられた個人識別情報に対応する個人の入室及び退室の別を判断し、前記記憶手段が記憶する当該個人の入退室状態を更新する入退室管理手段と、
前記個人が前記照明器具の各々の照明状態を変更する操作を行うための照明操作手段と、
前記記憶手段に記憶された情報に基づいて、前記入退室管理手段により入退室したと判断された個人の個人識別情報に対応する照明器具に対して照明状態を変更する所定の制御を行う照明制御手段と、
前記照明操作手段への操作又は前記照明制御手段による制御により、照明器具の照明状態が変更された場合に、前記記憶手段が記憶する当該照明器具の照明状態を更新する照明状態情報更新手段と、
前記記憶手段に記憶された照明器具の照明状態と個人の入退室状態との対応関係に基づいて、前記記憶手段が記憶する個人識別情報に対応する照明器具を更新する照明器具対応情報更新手段と、を備えたことを特徴とする入退室管理装置。
【請求項２】
前記照明器具対応情報更新手段は、
前記記憶手段に記憶された照明器具の照明状態と個人の入退室状態との対応関係に所定のリセット条件が成立した場合に、前記記憶手段が記憶する当該個人の個人識別情報に対応する照明器具を不定にリセットする対応情報リセット手段と、
前記記憶手段に記憶された情報に基づいて、前記入退室管理手段により入室したと判断された個人に対応する照明器具が不定である場合に、前記入退室管理手段により入室したと判断されてから最初に前記照明操作手段への操作により点灯された照明器具を、当該個人の個人識別情報に対応付けるよう前記記憶手段の記憶する情報を更新する入室時情報更新手段と、を備えたことを特徴とする請求項１に記載の入退室管理装置。
【請求項３】
前記入室時情報更新手段は、前記入退室管理手段により入室したと判断された個人に対応する照明器具が不定である場合に、前記入退室管理手段により入室したと判断されてから所定の一定時間内において最初に前記照明操作手段への操作により点灯された照明器具を、当該個人の個人識別情報に対応付けるよう前記記憶手段の記憶する情報を更新することを特徴とする請求項２に記載の入退室管理装置。
【請求項４】
前記所定のリセット条件は、前記記憶手段に記憶された照明器具の照明状態と個人の入退室状態との対応関係が不整合であった回数が、所定の回数以上となることであることを特徴とする請求項２又は請求項３のいずれかに記載の入退室管理装置。
【請求項５】
前記所定のリセット条件は、前記記憶手段に記憶された照明器具の照明状態と個人の入退室状態との対応関係が不整合であった回数が、前記記憶手段に記憶された照明器具の照明状態と個人の入退室状態との対応関係が整合していた回数よりも、所定の回数以上、上回ることであることを特徴とする請求項２又は請求項３のいずれかに記載の入退室管理装置。
【請求項６】
前記対応情報リセット手段による前記リセット条件が成立したか否かの確認は、前記入退室管理手段により個人が入室したと判断された時に行われることを特徴とする請求項２から請求項５のいずれかに記載の入退室管理装置。
【請求項７】
前記対応情報リセット手段による前記リセット条件が成立したか否かの確認は、予め設定された所定の時間帯において行われることを特徴とする請求項２から請求項５のいずれかに記載の入退室管理装置。
【請求項８】
前記室内における所定位置の照度を検出する照度検出手段を備え、
前記対応情報リセット手段による前記リセット条件が成立したか否かの確認は、前記照度検出手段により検出された照度が一定値以下の場合に行われることを特徴とする請求項２から請求項５のいずれかに記載の入退室管理装置。
【発明の詳細な説明】
【技術分野】
【０００１】
この発明は、入退室管理装置に関するものである。
【背景技術】
【０００２】
従来における入退室管理装置においては、個人の入退室に連動して室内の照明を制御して当該個人の作業領域を適切な明るさに調整することを目的とするものとして、個人を一意に識別する個人識別情報及び室内の少なくとも１つの照明器具と各個人とを対応付ける個人照明情報とを記憶する記憶装置と、個人識別情報の入力を受け付ける入力装置と、入力された個人識別情報を照合して個人を識別し、当該個人が入退室したと判断する入退室管理部と、個人照明情報を参照して入退室した個人に対応する照明器具を特定する照明特定部と、特定された照明器具に対して所定の制御を行う照明制御部と、を備えたものが知られている（例えば、特許文献１参照）。
【先行技術文献】
【特許文献】
【０００３】
【特許文献１】日本特開２００９−１６９５４３号公報
【発明の概要】
【発明が解決しようとする課題】
【０００４】
しかしながら、特許文献１に示された従来における入退室管理装置においては、室内の照明器具と各個人とを対応付ける個人照明情報を予め人の手により作成して記憶装置に記憶させておかねばならない。このため、個人の作業領域（座席）が変更になった場合、そのままでは、入退室した個人とその際制御する照明装置との対応関係に不整合が生じてしまうという課題がある。そして、このような不整合が生じないようにするためには、個人の座席が変更になる都度、照明器具と各個人との対応付けを新たに作成し個人照明情報を更新しなければならず、煩雑であって手数がかかるという課題がある。また、さらに、個人照明情報を設定するための端末装置が必要であって、装置全体の構成が複雑化するとともに、装置の製作費用がかさんでしまうという課題もある。【０００５】
この発明は、このような課題を解決するためになされたもので、個人の作業領域（座席）が変更された場合であっても、入退室した個人とその際制御する照明装置との対応関係に不整合が生じることを抑制することができる入退室管理装置を得るものである。
【課題を解決するための手段】
【０００６】
この発明に係る入退室管理装置においては、入退室する複数の個人の各々を一意に識別する個人識別情報の入力を受け付ける入力手段と、個人識別情報に、室内を照らす複数の照明器具のうち室内における各個人の作業領域を照らす少なくとも１つの照明器具と、照明器具の照明状態と、各個人の入退室状態とを対応付けて記憶する記憶手段と、前記入力手段により入力が受け付けられた個人識別情報に対応する個人の入室及び退室の別を判断し、前記記憶手段が記憶する当該個人の入退室状態を更新する入退室管理手段と、前記個人が前記照明器具の各々の照明状態を変更する操作を行うための照明操作手段と、前記記憶手段に記憶された情報に基づいて、前記入退室管理手段により入退室したと判断された個人の個人識別情報に対応する照明器具に対して照明状態を変更する所定の制御を行う照明制御手段と、前記照明操作手段への操作又は前記照明制御手段による制御により、照明器具の照明状態が変更された場合に、前記記憶手段が記憶する当該照明器具の照明状態を更新する照明状態情報更新手段と、前記記憶手段に記憶された照明器具の照明状態と個人の入退室状態との対応関係に基づいて、前記記憶手段が記憶する個人識別情報に対応する照明器具を更新する照明器具対応情報更新手段と、を備えた構成とする。
【発明の効果】
【０００７】
この発明に係る入退室管理装置においては、個人の作業領域（座席）が変更された場合であっても、入退室した個人とその際制御する照明装置との対応関係に不整合が生じることを抑制することができるという効果を奏する。
【図面の簡単な説明】
【０００８】
【図１】この発明の実施の形態１に係る入退室管理装置が設置された部屋の平面図である。
【図２】この発明の実施の形態１に係る入退室管理装置の全体構成を説明する図である。
【図３】この発明の実施の形態１に係る入退室管理装置のカード情報テーブルの構造を示す図である。
【図４】この発明の実施の形態１に係る入退室管理装置の入室情報リストの構造を示す図である。
【図５】この発明の実施の形態１に係る入退室管理端末における入側カードリーダが操作された際の処理の流れを示すフロー図である。
【図６】この発明の実施の形態１に係る入退室管理端末における照明状態変化通知を受信した際の処理の流れを示すフロー図である。
【図７】この発明の実施の形態１に係る入退室管理端末における出側カードリーダが操作された際の処理の流れを示すフロー図である。
【図８】この発明の実施の形態１に係る入退室管理端末における照明器具の照明状態と個人の入退室状態との対応関係を確認する処理の流れを示すフロー図である。
【発明を実施するための形態】
【０００９】
この発明を添付の図面に従い説明する。各図を通じて同符号は同一部分又は相当部分を示しており、その重複説明は適宜に簡略化又は省略する。
【００１０】
実施の形態１．
図１から図８は、この発明の実施の形態１に係るもので、図１は入退室管理装置が設置された部屋の平面図、図２は入退室管理装置の全体構成を説明する図、図３は入退室管理装置のカード情報テーブルの構造を示す図、図４は入退室管理装置の入室情報リストの構造を示す図、図５は入退室管理端末における入側カードリーダが操作された際の処理の流れを示すフロー図、図６は入退室管理端末における照明状態変化通知を受信した際の処理の流れを示すフロー図、図７は入退室管理端末における出側カードリーダが操作された際の処理の流れを示すフロー図、図８は入退室管理端末における照明器具の照明状態と個人の入退室状態との対応関係を確認する処理の流れを示すフロー図である。
【００１１】
図１において、１は、当該入退室管理装置が設置された施設内において、仕切られて入退室制限が課された区画の１つである部屋である。この部屋１には、個人がこの部屋１内に出入りするための出入口が設けられている。この出入口は扉１ａにより開閉される。この扉１ａは図示しない電気錠により施解錠される。この扉１ａを通過して部屋１に対して入退室しようとする個人は、ＩＤカードを携行している。このＩＤカードには、複数の個人の各々を一意に識別する個人識別情報が予め記憶されている。
【００１２】
部屋１の外側における扉１ａの近傍の壁面又は扉１ａ自体には、ＩＤカードが記憶する個人識別情報の入力を受け付けるための入側カードリーダ２ａ（入側ＣＲ）が設置されている。また、部屋１の内側における扉１ａの近傍の壁面又は扉１ａ自体には、ＩＤカードが記憶する個人識別情報の入力を受け付けるための出側カードリーダ２ｂ（出側ＣＲ）が設置されている。これらの入側カードリーダ２ａ及び出側カードリーダ２ｂは、入退室する個人が所持するＩＤカードに記憶された個人識別情報の入力を受け付ける入力手段を構成している。
【００１３】
部屋１内には、各個人の作業領域であるところの複数の座席が設定されている。そして、これら複数の座席に対応して、各座席を照らす照明３が複数設置されている。各照明３には、各照明３を一意に識別するための照明番号が割り振られている。
【００１４】
図２に、入退室管理装置の全体構成を示す。
入側カードリーダ２ａ及び出側カードリーダ２ｂは、入退室管理端末４に接続されている。この入退室管理端末４は、入側カードリーダ２ａ又は出側カードリーダ２ｂにより受け付けられた個人識別情報に基づいて、個人の識別及び当該識別された個人が入退室を許可されている者であるか否かの認証を行うものである。
【００１５】
扉１ａの電気錠は平常時において施錠されている。扉１ａを通過して部屋１に対して入退室しようとする個人は、ＩＤカードを入側カードリーダ２ａ又は出側カードリーダ２ｂにかざす等して、ＩＤカードの個人識別情報を入側カードリーダ２ａ又は出側カードリーダ２ｂに入力する操作を行う。すると、入退室管理端末４は、これらのカードリーダに入力された個人識別情報を基に、個人の識別及び当該識別された個人が入退室を許可されている者であるか否の認証を行う。そして、この認証に成功した場合には扉１ａの電気錠が解錠されて、当該認証された個人は扉１ａを通過して部屋１に対して入退室することが可能になる。また、認証に失敗した場合には扉１ａの電気錠が施錠された状態が維持され、個人による扉１ａの通過が阻止される。
【００１６】
部屋１内に設置された複数の照明３のそれぞれには、対応する照明３の照明状態を変更するための照明スイッチ３ａ（照明操作手段）が設けられている。部屋１内の個人は、この照明スイッチ３ａを操作することにより、自身の作業領域（座席）を照らす照明３の照明状態を所望の状態に変更することができる。また、各照明３には、各照明３の照明状態を統一的に制御する照明コントローラ５（照明操作手段）が接続されている。従って、各照明３の照明状態は、照明スイッチ３ａ及び照明コントローラ５の双方によって変更することができる。
【００１７】
入退室管理端末４及び照明コントローラ５は、通信ネットワークであるＬＡＮ６（Ｌｏｃａｌ  Ａｒｅａ  Ｎｅｔｗｏｒｋ）を介して、互いに通信可能に接続されている。入退室管理端末４は、このＬＡＮ６を通じて照明コントローラ５に対して照明制御指令を送信する。照明コントローラ５は、この照明制御指令に従って、各照明３の照明状態を制御する。また、照明コントローラ５は、ＬＡＮ６を通じて入退室管理端末４に対して各照明３の照明状態の変化を通知する。
【００１８】
入退室管理端末４には、記憶装置が接続されている。この記憶装置には、カード情報テーブル７及び入室情報リスト８が記憶されている。まず、カード情報テーブル７の構造を、図３に示す。カード情報テーブル７には、個人識別情報であるカード番号のそれぞれに対して、照明３の照明番号が、少なくとも１つ、対応付けられて登録されている。この照明番号には、原則として、各照明３について一意に割り振られた１〜ｎ（ｎは部屋１内に設けられた照明３の数）の数字が登録される。ただし、当該カード番号にまだいずれの照明３も対応付けられていない状態である場合には、「不定」を示す値が登録される。なお、ここでは、部屋１内にある照明３の数ｎは１６であるとする。
【００１９】
そして、カード情報テーブル７には、こうして登録された照明番号のそれぞれに対して、当該照明番号の照明３の照明状態も記録されている。ここでは、この照明状態は、点灯された状態を表す「ＯＮ」と、消灯された状態を表す「ＯＦＦ」の２つの値をとる。なお、照明番号が「不定」である場合には、照明状態も定まらないため、便宜的に「０」の値が入れられる。
【００２０】
また、カード情報テーブル７には、カード番号に対応する個人が部屋１内に在るのか不在であるのかを示す在不在状態も登録されている。この在不在状態は、入側カードリーダ２ａ又は出側カードリーダ２ｂにおいて、ＩＤカードの個人識別情報を受け付ける操作がなされる度に更新される。すなわち、入側カードリーダ２ａにおいてカード操作が行われた場合には、入退室管理端末４は、当該操作によって入側カードリーダ２ａが受け付けた個人識別情報（カード番号）に対応する個人が部屋１に入室したと判断して、カード情報テーブル７における当該カード番号の在不在状態を「在」に更新する。また逆に、出側カードリーダ２ｂにおいてカード操作が行われた場合には、入退室管理端末４は、当該操作によって出側カードリーダ２ｂが受け付けた個人識別情報（カード番号）に対応する個人が部屋１から退室したと判断して、カード情報テーブル７における当該カード番号の在不在状態を「不在」に更新する。
【００２１】
さらに、カード情報テーブル７には、各カード番号に対して、補正カウンタが設定されている。この補正カウンタは、後に述べるように、あるカード番号に対して登録されている照明番号の照明３の照明状態と在不在状態とが整合していた場合に増加され、逆に照明状態と在不在状態とが不整合であった場合に減少される。そして、この補正カウンタは、後に述べるように、カード番号に対応する照明番号を「不定」にリセットする所定のリセット条件を構成する要件を構成するものである。
【００２２】
次に、入室情報リスト８の構造を、図４に示す。この入室情報リスト８には、入側カードリーダ２ａが操作されてＩＤカードの個人識別情報が受け付けられた際にデータが追加される。より詳しくは、入側カードリーダ２ａにより個人識別情報（カード番号）が受け付けられた時（すなわち、入室時）に、カード情報テーブル７において当該カード番号に対応する照明番号が「不定」であった場合に、当該カード番号及び入室時刻が入室情報リスト８に記録される。
【００２３】
図５のフロー図は、入側カードリーダが操作された際に実行される処理を示すものである。
まず、入側カードリーダ２ａ（入側ＣＲ）でＩＤカードがかざされる等の個人識別情報受付操作がなされると（ステップＳ１においてＹｅｓ）、ステップＳ２へと進んで、入側カードリーダ２ａは当該個人識別情報受付操作がなされたＩＤカードの個人識別情報すなわちカード番号を読み取る。読み取られたカード番号は入退室管理端末４へと送信される。入退室管理端末４は、カード情報テーブル７における当該カード番号の在不在状態を「在」に更新する。また、カード情報テーブル７を参照して当該カード番号に対応付けられた照明番号を取得する。
【００２４】
続くステップＳ３においては、入退室管理端末４は、先のステップＳ２において取得した照明番号をチェックし、当該カード番号に対応付けられた照明番号が１〜ｎの番号であるのか、あるいは、「不定」であるのかを確認する。この確認において、当該カード番号に対応付けられた照明番号が「不定」であった場合には、ステップＳ４へと進む。このステップＳ４においては、入退室管理端末４は、入室情報リスト８に当該カード番号及び入室時刻を記録する。そして、ステップＳ１へと戻る。
【００２５】
一方、ステップＳ３での確認において、当該カード番号に１〜ｎの照明番号が対応付けられていた場合には、ステップＳ５へと進む。このステップＳ５においては、入退室管理端末４は、カード情報テーブル７における当該カード番号の照明状態を確認する。この確認において、当該カード番号の照明状態が「ＯＮ」であった場合には、ステップＳ６へと進む。このステップＳ６においては、入退室管理端末４は、当該カード番号における在不在状態と照明状態とが不整合であるとして、カード情報テーブル７における当該カード番号の補正カウンタを１減少させる。そして、ステップＳ１へと戻る。
【００２６】
なお、ステップＳ６において、当該カード番号における在不在状態と照明状態とが不整合であると判断する理由は、次の通りである。すなわち、これから入室しようとする個人の作業領域を照らす照明３は、当該個人が部屋１内にいなかったわけであるから消灯されているのが通常である。従って、今、当該カード番号に対応する個人が入室しようとしているにも関わらず、既に当該カード番号に対応する照明３が点灯されている状態である場合には、当該個人の在不在状態と照明状態とが不整合であると判断することができる。
【００２７】
一方、ステップＳ５での確認において、当該カード番号の照明状態が「ＯＦＦ」であった場合には、ステップＳ７へと進む。このステップＳ７においては、入退室管理端末４は、当該カード番号に対応付けられた照明３を点灯させるよう、照明コントローラ５へと照明制御指令を送信する。照明コントローラ５は、この照明制御指令を受けて対象となる照明３を点灯させる。また、併せて、入退室管理端末４は、カード情報テーブル７における当該カード番号の照明状態を「ＯＮ」に更新する。続くステップＳ８において、入退室管理端末４は、当該カード番号における在不在状態と照明状態とは整合しているとして、カード情報テーブル７における当該カード番号の補正カウンタを１増加させる。そして、ステップＳ１へと戻る。
【００２８】
なお、ステップＳ８において、当該カード番号における在不在状態と照明状態とが整合していると判断するのは、先のステップＳ６において在不在状態と照明状態とが不整合であると判断した理由とは逆の事情による。すなわち、これから入室しようとする個人の作業領域を照らす照明３が消灯されている状態は、当該個人の在不在状態と照明状態とが整合している状態であると判断することができる。
【００２９】
図６のフロー図は、入退室管理端末において照明状態変化通知を受信した際に実行される処理を示すものである。
まず、入退室管理端末４が照明コントローラ５からの照明状態変化通知を受信すると（ステップＳ９においてＹｅｓ）、ステップＳ１０へと進む。このステップＳ１０において、入退室管理端末４は、カード情報テーブル７を検索して、受信した照明状態変化通知によって照明状態が変化したと通知された照明３の照明番号が対応付けられた全てのカード番号の照明状態を、当該受信した照明状態変化通知の示す状態へと更新する。
【００３０】
続くステップＳ１１において、入退室管理端末４は、受信した照明状態変化通知が、照明状態が「ＯＮ」に変化したことを通知するものであったか否かを確認する。受信した照明状態変化通知が、照明状態が「ＯＮ」に変化したものでなかった場合には、ステップＳ９へと戻る。一方、受信した照明状態変化通知が、照明状態が「ＯＮ」に変化したものであった場合には、ステップＳ１２へと進む。
【００３１】
ステップＳ１２においては、入退室管理端末４は、入室情報リスト８に登録されたカード番号があるか否かを確認する。すなわち、入退室管理端末４は、入室情報リスト８を検索し、入室情報リスト８にカード番号及び入室時刻が登録されているか否かを確認する。そして、続くステップＳ１３において、入室情報リスト８を検索した結果、入室情報リスト８にカード番号が存在していなかった場合にはステップＳ９へと戻る。一方、入室情報リスト８にカード番号が存在していた場合にはステップＳ１４へと進む。
【００３２】
これから説明するステップＳ１４からステップＳ１７は、入室情報リスト８に登録されているデータのそれぞれについて実行される。
まず、ステップＳ１４においては、入退室管理端末４は、入室情報リスト８に登録されているデータについて入室時刻と現在時刻とを比較し、入室時刻から予め定めた所定の一定時間以上経過しているか確認する。そして、ステップＳ１４での確認の結果、入室情報リスト８に登録されている入室時刻から所定の一定時間が経過していた場合には、ステップＳ１５からステップＳ１６へと移行する。ステップＳ１６においては、入退室管理端末４は、当該データを入室情報リスト８から削除する。そして、ステップＳ９へと戻る。
【００３３】
一方、ステップＳ１４での確認の結果、入室情報リスト８に登録されている入室時刻から所定の一定時間がまだ経過していない場合には、ステップＳ１５からステップＳ１７へと移行する。ステップＳ１７においては、入退室管理端末４は、当該データのカード番号について、カード情報テーブル７における照明番号に、受信した照明状態変化通知の照明番号を登録する。換言すれば、入室時に照明番号が「不定」であったカード番号については（前述したように、入室情報リスト８には入室時に照明番号が「不定」であったカード番号が登録されている）、入室時刻から所定の一定時間内において最初に点灯されたと通知された照明３を、当該カード番号に対応付けるようカード情報テーブル７を更新するということである。そして、ステップＳ１６へと進んで、当該カード番号のデータを入室情報リスト８から削除した上で、ステップＳ９へと戻る。
【００３４】
図７のフロー図は、出側カードリーダが操作された際に実行される処理を示すものである。
まず、出側カードリーダ２ｂ（出側ＣＲ）でＩＤカードがかざされる等の個人識別情報受付操作がなされると（ステップＳ１８においてＹｅｓ）、ステップＳ１９へと進んで、出側カードリーダ２ｂは当該個人識別情報受付操作がなされたＩＤカードの個人識別情報すなわちカード番号を読み取る。読み取られたカード番号は入退室管理端末４へと送信される。入退室管理端末４は、カード情報テーブル７における当該カード番号の在不在状態を「不在」に更新する。また、カード情報テーブル７を参照して当該カード番号に対応付けられた照明番号を取得する。
【００３５】
続くステップＳ２０においては、入退室管理端末４は、先のステップＳ１９において取得した照明番号をチェックし、当該カード番号に対応付けられた照明番号が１〜ｎの番号であるのか、「不定」であるのかを確認する。この確認において、当該カード番号に対応付けられた照明番号が「不定」であった場合には、ステップＳ１８へと戻る。
【００３６】
一方、ステップＳ２０での確認において、当該カード番号に１〜ｎの照明番号が対応付けられていた場合には、ステップＳ２１へと進む。このステップＳ２１においては、入退室管理端末４は、当該カード番号に対応付けられた照明３を消灯させるよう、照明コントローラ５へと照明制御指令を送信する。照明コントローラ５は、この照明制御指令を受けて対象となる照明３を消灯させる。また、併せて、入退室管理端末４は、カード情報テーブル７における当該カード番号の照明状態を「ＯＦＦ」に更新する。そして、ステップＳ１８へと戻る。
【００３７】
図８のフロー図は、入退室管理端末において照明器具の照明状態と個人の入退室状態との対応関係を確認する処理を示すものである。
まず、ステップＳ２２において、入退室管理端末４は、前回、次のステップＳ２３及びステップＳ２４を実行してから、予め定めた一定時間であるリセット確認時間が経過したか否かについて確認する。そして、ステップＳ２３及びステップＳ２４の前回実行時からリセット確認時間が経過した場合には、ステップＳ２３へと進む。
【００３８】
ステップＳ２３においては、カード情報テーブル７のデータに対して、補正カウンタの更新が行われる。このカード情報テーブル７における補正カウンタの更新は、次のようにして行われる。まず、入退室管理端末４は、カード情報テーブル７の各カード番号のデータについて、対応付けられた照明番号が１〜ｎの番号であるのか、「不定」であるのかを確認する。そして、カード番号に対して１〜ｎの照明番号が対応付けられていた場合には、当該カード番号における在不在状態と照明状態との関係が整合しているか、不整合であるかを確認し、補正カウンタの値を更新する。
【００３９】
具体的には、「在不在状態−照明状態」の関係が、「在−ＯＮ」及び「不在−ＯＦＦ」の場合には両者は整合しているとして当該カード番号における補正カウンタの値を１増加させる。また、両者の関係が「在−ＯＦＦ」及び「不在−ＯＮ」の場合には両者は不整合であるとして当該カード番号における補正カウンタの値を１減少させる。
【００４０】
以上の補正カウンタの更新が、カード情報テーブル７の全てのデータについて完了すると、ステップＳ２４へと進む。このステップＳ２４においては、入退室管理端末４は、カード情報テーブル７の全てのデータについて、カード番号に対応する照明番号を「不定」にリセットする所定のリセット条件が成立しているか否かを確認する。ここでは、所定のリセット条件は、補正カウンタの値が予め定めた所定の一定数値以下であること、に設定されている。すなわち、具体的には、入退室管理端末４は、カード情報テーブル７の全てのデータについて補正カウンタの値を確認し、補正カウンタの値が予め定めた所定の一定数値以下であった場合には、当該カード番号に対応付けられた照明番号を「不定」にする。そして、ステップＳ２２へと戻る。
【００４１】
以上説明した入退室管理端末において照明器具の照明状態と個人の入退室状態との対応関係を確認する図８の処理フローは、ここでは、一定時間毎に定期的に行われるものとして説明した。しかし、この図８の処理フローを実行するタイミングについては、終始一定時間毎に実行するのではなく、予め定めた時間帯である場合のみ実行するようにしてもよい。例えば、部屋１に窓が設けられており日中は外光の影響を受け易いときには、図８の処理フローを実行する時間帯として夕方（例えば１８時）以降に設定するようにしてもよい。また、日中における外光の影響を避けるためには、時間帯を設定する他、例えば部屋１内の照度を測定する照度計を設置しておき、この照度計により検出された照度が所定値以下であった場合のみ、図８の処理フローを実行するようにしてもよい。
【００４２】
日中に外光の影響がある部屋１内においては、入室しても照明を点灯しないという状況が考えられ、在不在状態と照明状態とに不整合が発生しやすくなる可能性がある。そこで、上に述べたように図８の処理フローを実行するタイミングに時間帯や部屋１内の照度による制限を設けることで、外光の影響が大きいと考えられる場合には照明状態と入退室状態との関係を確認しないようにすることにより、個人と照明との対応関係をより精度よく自動的に更新することができる。
【００４３】
また、このような事情は、図８の処理フローだけでなく、他の処理にも当てはまる。すなわち、例えば、図５の処理フロー中のステップＳ１における入側カードリーダ２ａで個人識別情報受付操作がなされたか否かの確認処理を、所定の時間帯や照度が所定値以下であった場合のみに実行するようにしてもよい。あるいは、図６の処理フロー中のステップＳ１１における、受信した照明状態変化通知が、照明状態が「ＯＮ」に変化したことを通知するものであったか否かの確認処理を所定の時間帯や照度が所定値以下であった場合のみに実行するようにしてもよいし、図７の処理フロー中のステップＳ１８における出側カードリーダ２ｂで個人識別情報受付操作がなされたか否かの確認処理を所定の時間帯や照度が所定値以下であった場合のみに実行するようにしてもよい。
【００４４】
なお、以上においては、入側と出側の双方にカードリーダを設置し、どちらのカードリーダにおいて操作がなされたのかということに基づいて、入退室管理端末は個人の入室及び退室の別を判別するようにした場合について説明した。しかし、この点については、必ずしも入側と出側の双方にカードリーダを設置する必要はなく、部屋１の出入口にカードリーダを１つだけ設置するようにしてもよい。部屋１の出入口にカードリーダを１つだけ設置した場合には、カードリーダによりカード番号が読み取られた際に、カード情報テーブルにおける当該カード番号の在不在状態を参照することにより、入退室管理端末は個人の入室及び退室の別を判別することが可能である。
【００４５】
また、ここでは、補正カウンタは、照明状態と在不在状態とが整合していた場合に増加され、逆に照明状態と在不在状態とが不整合であった場合に減少されるようにした上で、リセット条件を、補正カウンタの値が所定の一定数値以下となること、に設定した。すなわち、リセット条件を、照明状態と入退室状態（在不在状態）との対応関係が不整合であった回数が、これらの対応関係が整合していた回数よりも、所定の回数以上、上回ること、に設定した。
【００４６】
しかし、この補正カウンタを用いたリセット条件については、他にも様々なものを設定し得る。例えば、最も簡易なものの一例としては、補正カウンタを照明状態と在不在状態とが不整合であった回数をカウントするものとした上で、リセット条件を、補正カウンタの値が所定の一定数値以上となること、に設定するというものが挙げられる。この場合には、リセット条件を、照明状態と入退室状態（在不在状態）との対応関係が不整合であった回数が、所定の回数以上となること、に設定したことになる。
【００４７】
なお、以上において、入退室管理端末４における図５中のステップＳ１、Ｓ２及び図７中のステップＳ１８、Ｓ１９の処理を実行する機能は、入退室管理手置を構成している。照明コントローラ５における照明状態変化通知を送信する機能及び入退室管理端末４における図６中のステップＳ９、Ｓ１０の処理を実行する機能は、照明状態情報更新手段を構成している。入退室管理端末４における図５中のステップＳ１〜Ｓ４及び図６中のステップＳ１１〜Ｓ１７の処理を実行する機能は、照明器具対応情報更新手段の特に入室時情報更新手段を構成している。そして、入退室管理端末４における図５中のステップＳ５〜Ｓ８及び図８の処理を実行する機能は、照明器具対応情報更新手段の特に対応情報リセット手段を構成している。
【００４８】
以上のように構成された入退室管理装置は、照明器具の照明状態と個人の入退室状態との対応関係に基づいて、カード情報テーブルに記録された個人識別情報に対応する照明器具を更新するようにしたため、個人の作業領域（座席）が変更された場合であっても、入退室した個人とその際制御する照明装置との対応関係を自動的に更新することが可能であって、入退室した個人とその際制御する照明装置との対応関係に不整合が生じることを抑制することができる。
【産業上の利用可能性】
【００４９】
この発明は、個人の入退室に連動して、入退室した個人の作業領域を照らす照明の点灯状態を制御する入退室管理装置に利用できる。
【符号の説明】
【００５０】
１    部屋
１ａ  扉
２ａ  入側カードリーダ
２ｂ  出側カードリーダ
３    照明
３ａ  照明スイッチ
４    入退室管理端末
５    照明コントローラ
６    ＬＡＮ
７    カード情報テーブル
８    入室情報リスト
【図１】
2012127609.tif 000003
【図２】
2012127609.tif 000004
【図３】
2012127609.tif 000005
【図４】
2012127609.tif 000006
【図５】
2012127609.tif 000007
【図６】
2012127609.tif 000008
【図７】
2012127609.tif 000009
【図８】
2012127609.tif 000010
【国際調査報告】
2012127609.tif 000011
2012127609.tif 000012
2012127609.tif 000013